(57)【特許請求の範囲】
【請求項１】
環状の二重管構造又は柱状の形状を有する本体と、
前記本体の外周部に設置され、外方へ向かって放射方向に水をミスト状に噴霧するように周方向及び上下方向に間隔をあけて複数設けられたミストノズルと、
前記本体の外周部に設置され、外方へ向かって放射方向に気流をミストノズルから噴霧されるミストに向けて吹き出すように周方向及び上下方向に間隔をあけて複数設けられた通気孔と、
前記本体内を通り、前記通気孔へ気流を送風する送風機と、を備え、
複数の前記通気孔のうち、最上段の前記通気孔は、最上段の前記ミストノズルの上方に配置され、気流を斜め下向きに向けて吹き出し、最上段以外の前記通気孔から吹き出す気流よりも流量及び流速の少なくとも一方が大きくなるように構成されたことを特徴とする冷却装置。
【請求項２】
前記本体の上面視で、前記通気孔から吹き出す気流が前記ミストと重なることを特徴とする請求項１に記載の冷却装置。
【請求項３】
前記本体が側面視で上下方向に分割された複数の上下分割ユニットを備え、
前記上下分割ユニットは連結部材で上下に連結されており、
少なくとも最上段の上下分割ユニットは、前記通気孔を備えていることを特徴とする請求項１又は請求項２に記載の冷却装置。
【請求項４】
前記本体が上面視で周方向に分割された複数の周方向分割ユニットを備え、
前記各周方向分割ユニットは、前記ミストノズル及び前記通気孔をそれぞれ備えていることを特徴とする請求項１又は請求項２に記載の冷却装置。
【請求項５】
複数の前記通気孔のうち、最下段の前記通気孔は、最下段の前記ミストノズルの下方に配置され、前記送風機からの気流を水平または斜め上向きに向けて吹き出すことを特徴とする請求項１から請求項４のいずれか１項に記載の冷却装置。
【発明の詳細な説明】
【技術分野】
【０００１】
本発明は、屋外の開放空間を冷却する冷却装置に関する。
【背景技術】
【０００２】
一般に、夏場の気温の高いときには、路面からの輻射熱や照り返しによって路面付近の温度が上昇し、通行者にとって体感温度の上昇に伴う不快感が増大する。通行者の体感温度の上昇に伴う不快感を軽減するために、霧を噴霧し、霧による冷却作用を利用して、路面や路面付近の温度を下げる冷却装置が知られている（例えば、特許文献１参照）。
特許文献１記載の冷却装置では、歩道と車道の境界部に沿って壁形に形成された中空体を設け、当該中空体の歩道側の側壁に複数のノズル口を開口し、中空体の内部空間に噴霧された霧を、ノズル口から放出させて通路に漂わせ、冷気を生じさせている。
【先行技術文献】
【特許文献】
【０００３】
【特許文献１】特開平６−１７０２９４号公報
【発明の概要】
【発明が解決しようとする課題】
【０００４】
特許文献１に記載の冷却装置では、ノズル口から放出した霧を通路に漂わせて、冷気を生じさせているが、より効率よく通行者が快適に感じられるように環境を冷却する冷却装置に対する要望があった。
本発明は、上述した事情に鑑みてなされたものであり、より効率的に通行者が快適に感じられるように環境を冷却する冷却装置を提供することを目的とするものである。
【課題を解決するための手段】
【０００５】
前記目的を達成するため、本発明は、環状の二重管構造又は柱状の形状を有する本体と、前記本体の外周部に設置され、外方へ向かって放射方向に水をミスト状に噴霧するように周方向及び上下方向に間隔をあけて複数設けられたミストノズルと、前記本体の外周部に設置され、外方へ向かって放射方向に気流をミストノズルから噴霧されるミストに向けて吹き出すように周方向及び上下方向に間隔をあけて複数設けられた通気孔と、前記本体内を通り、前記通気孔へ気流を送風する送風機と、を備え、複数の前記通気孔のうち、最上段の前記通気孔は、最上段の前記ミストノズルの上方に配置され、気流を斜め下向きに向けて吹き出し、最上段以外の前記通気孔から吹き出す気流よりも流量及び流速の少なくとも一方が大きくなるように構成されたことを特徴とする。
【０００６】
また、本発明は、前記本体の上面視で、前記通気孔から吹き出す気流が前記ミストと重なることを特徴とする。
【０００９】
また、本発明は、前記本体が側面視で上下方向に分割された複数の上下分割ユニットを備え、前記上下分割ユニットは連結部材で上下に連結されており、少なくとも最上段の上下分割ユニットは、前記通気孔を備えていることを特徴とする。
【００１０】
また、本発明は、前記本体が上面視で周方向に分割された複数の周方向分割ユニットを備え、前記各周方向分割ユニットは、前記ミストノズル及び前記通気孔をそれぞれ備えていることを特徴とする。
【００１１】
また、本発明は、複数の前記通気孔のうち、最下段の前記通気孔は、最下段の前記ミストノズルの下方に配置され、前記送風機からの気流を水平または斜め上向きに前記ミスト空間に向けて吹き出すことを特徴とする。
【発明の効果】
【００１２】
本発明によれば、本体と、本体の周囲に設置され外方へ向かって水をミスト状に噴霧する少なくとも１つのミストノズルと、前記ミストノズルの上方に設置され、気流をミストノズルから噴霧されるミストに向けて吹き出す通気孔と、を備えるため、ミストノズルの上方に設置される通気孔から吹き出される気流がミストノズルから噴霧されるミストを包み込む気流空間を形成し、効率的に通行者が快適に感じられるように環境を冷却する冷却装置を提供できる。
【図面の簡単な説明】
【００１３】
【図１】本発明の第１の実施形態に係る冷却装置の概略構成を示す模式図である。
【図２】装置本体の概略構成を模式的に示す断面図である。
【図３】冷却装置の空気の流れを模式的に示す断面図である。
【図４】装置本体の周囲に形成される気流空間を模式的に示す上面視図である。
【図５】冷却装置の設置状態を示す斜視図である。
【図６】冷却装置の別の設置状態を示す斜視図である。
【図７】冷却装置の動作を示すフローチャートである。
【図８】冷却装置の動作を示すフローチャートである。
【図９】本発明の第２の実施形態に係る冷却装置の装置本体の断面図である。
【図１０】本発明の第３の実施形態に係る冷却装置の概略構成を示す模式図である。
【図１１】装置本体を分割した状態を示す斜視図である。
【図１２】本発明の変形例の冷却装置の空気の流れを模式的に示す断面図である。
【図１３】本発明の第４の実施形態に係る冷却装置の概略図である。
【図１４】冷却装置の概略構成を模式的に示す断面図である。
【図１５】冷却装置作動時のミストの流れ及び空気の流れを模式的に示す断面図である。
【図１６】本発明の第５の実施形態に係る冷却装置の概略図である。
【図１７】冷却装置の概略構成を模式的に示す断面図である。
【図１８】本発明の第６の実施形態に係る冷却装置の概略図である。
【図１９】冷却装置の概略構成を模式的に示す断面図である。
【図２０】噴霧ノズルと通気孔２１４との位置関係を示す図であり、Ａは斜視図、Ｂは側面から見た模式図である。
【図２１】本発明の別の実施形態を示す図である。
【図２２】本発明の別の実施形態を示す図である。
【発明を実施するための形態】
【００１４】
以下、図面を参照して本発明の実施形態について説明する。
【００１５】
＜第１の実施形態＞
図１は、本発明の実施形態に係る冷却装置１の概略構成を示す模式図である。
冷却装置１は、屋外の開放空間で使用され、装置本体１０の周囲空間を冷却する装置である。冷却装置１は、本実施形態においては、横断面形状が環状の円柱体の装置であり、路面等の地面に立設させて使用される。図１に示すように、冷却装置１は、コントローラ１００と、送風機５と、水回路５０と、装置本体１０と、を備えている。
【００１６】
コントローラ１００は、図示しないＣＰＵ、不揮発性メモリー、ＲＡＭ等により構成され、制御プログラムを読み出して実行し、冷却装置１の各部を制御する。コントローラ１００は、図示しない制御線で送風機５、装置本体１０、および、水回路５０と、各部が備える後述の各種センサと接続されている。
送風機５は、本実施形態においては、押し込み型のファンである。送風機５は、空気配管（配管）６で装置本体１０に接続される。送風機５からの気流は、空気配管６により装置本体１０に導かれる。送風機５は、インバーターファンであり、コントローラ１００により送風量が可変に制御される。
【００１７】
水回路５０は、水抜き弁５１と、水量調整弁５２と、減圧弁５３と、逆止弁５４と、フィルタ５５と、水温度センサ５６と、水量センサ５７と、を備える。水回路５０は、水配管６０により装置本体１０に接続される。水配管６０は、上水道に接続され、上水道の水を装置本体１０に供給する。水抜き弁５１は、水回路５０の下流に設けられる。水抜き弁５１は、コントローラ１００により制御され、装置本体１０の運転を停止する際、および、開始する際に、水回路５０内の水を抜くために開かれる。
なお、水回路に供給する水としては上水道に限定されない。イオン交換水や膜ろ過水など、スケール成分を除去処理した水を用いることで、噴霧ノズル１５の詰まりを防止することができる。
【００１８】
水量調整弁５２は、コントローラ１００により制御され、装置本体１０に供給する水量を調整する。水量調整弁５２は、水抜き弁５１の上流に設けられる。減圧弁５３は、水量調整弁５２の上流に設けられ、水配管６０内を流れる水量の変化に伴う圧力の変化を捉えて、水量が変化しても圧力を設定値に保つ。逆止弁５４は、減圧弁５３の上流に設けられ、水配管６０内を流れる水が逆流するのを防止する。
【００１９】
フィルタ５５は、逆止弁５４の上流に設けられる。フィルタ５５は、水配管６０内を流れる水に含まれる異物を捉え、異物が水流に乗って装置本体１０に流れ込むのを防止する。水温度センサ５６は、水配管６０内を流れ、装置本体１０に供給される水の温度を検知する。水温度センサ５６は、検知した水の温度をコントローラ１００に入力する。水量センサ５７は、水配管６０内を流れ、装置本体１０に供給される水の水量を検知する。水量センサ５７は、検知した水量をコントローラ１００に入力する。コントローラ１００は、水温度センサ５６および水量センサ５７が検知した水温および水量に基づいて水量調整弁５２を制御する。
【００２０】
装置本体１０は、耐水性および耐腐食性に優れた鉄系、アルミ系金属材料を主成分とする合金板、あるいは、フェノール樹脂（ＰＦ）、メラミン樹脂（ＭＦ）、フッ素樹脂（ＰＴＦＥ）、ポリアミド（ＰＡ）、ポリプロピレン（ＰＰ）、ポリフェニレンサルファド（ＰＰＳ）等の樹脂材料から形成される。これにより、屋外で使用される装置本体１０の、雨滴や紫外線による影響を防ぐことができる。装置本体１０は、本実施形態においては、円筒状の管を二重にして形成した二重管である。装置本体１０は、二重管の構成であるため、内側の内側管１１と、外側の外側管１２と、の間に環状空間１３が形成される。環状空間１３内には、送風機５からの気流が発生する。このように、装置本体１０を環状の二重管の構造とし、環状空間１３内に気流を発生させるため、環状空間１３内で円周方向の風圧を均等にすることができる。また、装置本体１０の気流を発生させる空間を環状としたため、優れた耐圧性を得ることができ、内側管１１および外側管１２の肉厚を薄くすることが出来る。なお、装置本体１０は、管の形状が円筒状に限らず、例えば、楕円筒状や角筒状の管の二重管であってもよい。
【００２１】
図２は、装置本体１０の概略構成を模式的に示す断面図である。図２に示すように、外側管１２の下部には、空気配管６が接続される配管接続部１６が設けられる。配管接続部１６は、空気配管６を、外側管１２に気密性を持って接続できる構造である。環状空間１３の底部には、内側管１１、外側管１２、および、内側管１１と外側管１２に接合された底板２２が設けられる。環状空間１３の底部は、底板２２で塞がれている。環状空間１３の頂部には、内側管１１、外側管１２、および、端壁２１に接合された天板２３が設けられる。
【００２２】
外側管１２には、上下方向および周方向に間隔をあけて、環状空間１３に連通する複数の通気孔（開口）１４が設けられる。通気孔１４の形状は、矩形であってもよいし、円形であってもよいし、その他のいかなる形状であってもよい。通気孔１４は、外側管１２の周方向に等ピッチで配置される。
【００２３】
これらの複数の通気孔１４には、噴霧ノズル１５が挿入され、複数の噴霧ノズル１５が、装置本体１０の上下方向および周方向に間隔をあけて配置される。なお、全ての通気孔１４に一対一の関係で噴霧ノズル１５が挿入される構成であってもよいし、通気孔１４と、噴霧ノズル１５との関係が一対一の関係でなくてもよい。外側管１２には、一つの噴霧ノズル１５に対して、この噴霧ノズル１５から噴霧される微細ミストに対して影響する気流を発生させる通気孔１４が複数配置されていてもよい。通気孔１４の径は、噴霧ノズル１５の径よりも大きく形成されている。噴霧ノズル１５が噴霧する微細ミストは、平均粒径が２０μｍ以下であることが望ましい。噴霧ノズル１５が噴霧する微細ミストにより、通行者の服や、路面等の周囲を濡らすことなく、蒸散効果により、周囲空気を効果的に冷却することができる。噴霧ノズル１５は、装置本体１０の外周部に配置される。噴霧ノズル１５は、特に、図２の部分拡大図に示したように、微細ミストが噴霧されるノズル口１５Ｆが、通気孔１４の出口側開口面１４Ｆと略一致するように配置される。この構成によれば、装置本体１０内で噴霧ノズル１５から噴霧された微細ミストの蒸散が行われないため、環状空間１３内での空気の温度降下が生じず、装置本体１０内で結露が発生するのを防止することができる。
【００２４】
装置本体１０の下部には、水配管６０が接続される水配管接続部１８が設けられる。水配管接続部１８は、図３に示すように、底板２２に設けられ、水配管６０は、装置本体１０の底部に接続される。水配管接続部１８には、環状空間１３内に延びる給水管１９が接続されている。水配管６０は、水配管接続部１８を介して給水管１９に接続され、水回路５０からの水流が給水管１９に供給される。給水管１９は、環状空間１３内で複数に分岐され、各分岐配管２９の末端には、噴霧ノズル１５が接続される。
【００２５】
環状空間１３内には、配管接続部１６に接続された空気配管６から送風機５の気流が導かれる。送風機５からの気流は、環状空間１３内を下から上に向けて発生する。図３中の矢印は、送風機５からの気流の流れを示す。送風機５からの気流は、環状空間１３内を下から上に向けて流れ、通気孔１４から、装置本体１０の外周に気流ＡＦとして吹き出される。
なお、本実施形態では配管接続部１６が装置本体１０の外側管１２の下部に設けた構成としたが、これに限定されない。配管接続部１６を装置本体１０の外側管１２の上部に設け、送風機５からの気流を、環状空間１３内の上から下に向けて発生させてもよい。
通気孔１４を装置本体１０の周辺に設けることで、送風機５からの気流は通気孔１４から、二重管構造の装置本体１０の周囲に放射方向に気流ＡＦとして吹き出される。装置本体１０の周囲には、装置本体１０から放射方向に吹き出された気流ＡＦにより、装置本体１０と同芯状に半径方向に拡がる空気流が形成される。例えば、通気孔１４を装置本体１０の周辺に等間隔で設けることで、気流ＡＦは装置本体１０から放射方向に広がり、図４に示すように、無風の環境下で、気流空間ＡＦＳの外周は、上面視で、装置本体１０と相似形外輪郭を呈する。本実施形態では、装置本体１０の外周は、上面視円形状であるため、気流空間ＡＦＳの外周は、上面視で装置本体１０と同芯の円形外輪郭となる。
【００２６】
噴霧ノズル１５から噴霧された微細ミストは、噴霧ノズル１５から出て程なく気化する。噴霧ノズル１５から出た微細ミストが気化する際に、装置本体１０の周囲空気の熱が吸収されて、蒸散効果により冷却空気が生成される。噴霧ノズル１５から噴霧された微細ミストが気化する際に生成された冷却空気は、微細ミストとともに通気孔１４から吹き出された送風機５からの気流ＡＦに乗って、装置本体１０の遠方に運ばれる。
ここで、気流空間ＡＦＳを装置本体１０の半径方向に拡がる空気流として形成したので、微細ミストの周辺空気への拡散を促し、気化を促進することができる。また、各噴霧ノズル１５から噴霧される微細ミストをなるべく重なりあわないように、噴霧ノズル１５および通気孔１４を配置するのが望ましい。これにより、微細ミストの周辺空気への拡散を促し、気化をより促進することができる。
これらの構成によれば、噴霧ノズル１５のノズル口１５Ｆを、通気孔１４の出口側開口面１４Ｆと略一致させて配置するとともに、噴霧ノズル１５の上流に押し込み型の送風機５を設けたため、噴霧ノズル１５から噴霧された微細ミストによって装置本体１０内に結露が発生することがない。
【００２７】
装置本体１０の上部に設けられた通気孔１４には、通気孔１４から吹き出される気流ＡＦを斜め下方に導く導風体２４が設けられる。装置本体１０の上部に配置された噴霧ノズル１５から噴霧された微細ミスト、および、微細ミストが気化する際に生成された冷却空気は、導風体２４によって導かれた気流ＡＦＤに乗って、斜め下方に吹き出される。導風体２４は、例えば、板状の部材を通気孔１４の外周に沿って設けて構成してもよい。導風体２４は、通気孔１４から吹き出される気流ＡＦＤの吹き出し角度が所定の角度になるように、取り付けられる。導風体２４は、可動式の機構を備え、気流ＡＦＤの吹き出し角度を適宜に変更できるように構成されていてもよい。また、外側管１２に通気孔１４を形成する際の、孔の細工により、導風体２４としてもよい。例えば、外側管１２の板厚を利用して通気孔１４を斜めに切ることで、導風体２４を構成できる。
【００２８】
装置本体１０の下部に設けられた通気孔１４は、送風機５からの気流を略水平、または斜め上方に吹き出すように構成されている。なお、図示は省略するが、装置本体１０の中部に設けられた通気孔１４からは送風機５からの気流を略水平に吹き出し、装置本体１０の下部に設けられた通気孔１４からは送風機５からの気流を斜め上方に吹き出してもよい。また、装置本体１０の下部に設けられた通気孔１４には、気流の吹き出し角度を調整するために、上部の通気孔と同様に導風体を設けてもよい。
装置本体１０の下部に配置された噴霧ノズル１５から噴霧された微細ミスト、および、微細ミストが気化する際に生成された冷却空気は、通気孔１４から吹き出された送風機５からの気流ＡＦＨに乗って、略水平、または、斜め上方に吹き出される。
【００２９】
装置本体１０の上部からの斜め下方に吹き出す気流ＡＦＤと、装置本体１０の下部からの略水平、または斜め上方に吹き出す気流ＡＦＨは、装置本体１０の周囲の環境下で合流する。これにより、装置本体１０の上部に配置された噴霧ノズル１５からの微細ミストによる冷却空気と、装置本体１０の下部に配置された噴霧ノズル１５からの微細ミストによる冷却空気とは、各気流ＡＦＤ、ＡＦＨに乗って、所定位置の合流部Ｊで合流する。合流部Ｊの、装置本体１０からの相対位置、および、地面（路面）からの高さは、送風機５からの風量、および／あるいは、導風体２４による気流ＡＦＤの吹き出し角度を制御することで適宜に調整可能である。
【００３０】
また、装置本体１０の上部からの気流ＡＦＤと、装置本体１０の下部からの気流ＡＦＨの方向をクロスさせるため、装置本体１０の下部から気流ＡＦＨに乗って吹き出される微細ミストによる冷却空気の上昇を、装置本体１０の上部から斜め下方に吹き出される気流ＡＦＤで押さえ込んで装置本体１０の遠方に流すことが出来る。これにより、装置本体１０の周囲環境を効果的に冷却することができる。また、装置本体１０の上下方向および周方向に間隔をあけて配置された噴霧ノズル１５から噴霧された微細ミスト、および、微細ミストが気化する際に生成された冷却空気を、気流ＡＦ乗せて吹き出すため、風等の外気の影響を受けても、装置本体１０から全方位に冷却空気を送ることができる。
【００３１】
図５および図６は、装置本体１０の設置状態を示す図である。装置本体１０は、内側管１１および外側管１２から構成される二重管の内側に内部空間３０を有する。装置本体１０は、図５に示すように、地面（路面）Ｇから延びる人工体の支持部ＳＰが、内部空間３０の下から上に向けて延びるように配置され、支持部ＳＰを内部空間３０内に収容する。支持部ＳＰは、例えば、街路灯や案内標識の支柱等の既存の人工体であってもよい。
支持部ＳＰは、図６に示したように、地面Ｇに植樹された天然樹木または人工樹木の幹部で構成されていてもよい。この構成によれば、樹木によって日射が抑えられた環境下で、樹木の幹部に配設された装置本体１０から冷却空気を周囲環境に供給する。
【００３２】
次に、冷却装置１の制御について説明する。
装置本体１０には、所定の通気孔１４に温度センサ１７が設けられている。温度センサ１７は、輻射熱や照り返しの影響が少ない１．５ｍよりも高い位置に設けられているのが望ましい。コントローラ１００は、装置本体１０の周囲の空気温度に基づいて冷却装置１の各部を制御する。
図７および８は、冷却装置１の動作を示すフローチャートである。
冷却装置１の電源がＯＮになると、図７に示すように、コントローラ１００は、待機運転を開始する（ステップＳ１）。待機運転では、コントローラ１００は、送風機５を所定時間間隔で駆動して、環状空間１３に気流ＡＦを発生させ、この気流ＡＦの空気温度を温度センサ１７で検知することで、周囲空気の温度を検知する（ステップＳ２）。次に、コントローラ１００は、検知した周囲空気の温度が予め設定された閾値の温度より高いか否かを判定する（ステップＳ３）。閾値の温度は、例えば、２７．９度や２９．９度等の任意の温度に予め設定可能であってもよい。周囲空気の温度が予め設定された閾値の温度より低いと判定した場合（ステップＳ３：Ｙｅｓ）、コントローラ１００は、待機運転を継続する。周囲空気の温度が予め設定された閾値の温度以上であると判定した場合（ステップＳ３：Ｎｏ）、コントローラ１００は、冷却運転を開始する（ステップＳ４）。
【００３３】
図８は、冷却運転時の冷却装置１の動作を示すフローチャートである。図８に示すように、冷却運転を開始すると、コントローラ１００は、水抜き弁５１を制御して、水配管６０内に残っている水を一旦抜く（ステップＳ４１）。これにより、水配管６０内に残っていた、水温が高くなっている可能性のある水が装置本体１０に供給されるのを防止することができる。次に、コントローラ１００は、送風機５を駆動して、環状空間１３に気流ＡＦを発生させる（ステップＳ４２）。続いて、コントローラ１００は、温度センサ１７で周囲空気の温度を検知する（ステップＳ４３）。コントローラ１００は、温度センサ１７で検知した周囲空気温度に基づいて送風機５を制御して、通気孔１４から吹き出される気流ＡＦの風量を調整する（ステップＳ４４）。コントローラ１００は、例えば、周囲空気温度が高くなるに応じて、送風機５からの風量を多くする制御をおこなってもよい。
【００３４】
また、コントローラ１００は、水温度センサ５６で水配管６０内の水の温度を検知する（ステップＳ４５）。コントローラ１００は、水温度センサ５６で検知した水温に基づいて、水量調整弁５２を制御して、装置本体１０に供給する水量を調整して（ステップＳ４６）、装置本体１０に水を供給する。コントローラ１００は、水温度センサ５６で検知した水温が高くなるに応じて装置本体１０に供給する水量を多くし、水温が低くなるに応じて装置本体１０に供給する水量を少なくしてもよい。また、装置本体１０は、温度センサ１７で検知した周囲空気の温度に基づいて、装置本体１０に供給する水量を調整してもよい。コントローラ１００は、温度センサ１７で検知した周囲空気の温度が高くなるに応じて装置本体１０に供給する水量を多くし、温度が低くなるに応じて装置本体１０に供給する水量を少なくしてもよい。
【００３５】
コントローラ１００は、予め設定された所定の時間間隔で、温度センサ１７により周囲空気の温度を検知し、周囲空気温度が、冷却運転の開始を判断する上述の閾値の温度以内か否かを判定する（ステップＳ４７）。コントローラ１００は、周囲空気の温度が閾値よりも高い間は（ステップＳ４７：Ｎｏ）、冷却運転を継続する。周囲空気の温度が閾値以内であると判定すると、コントローラ１００は、装置本体１０への水の供給を止め、水抜き弁５１を開いて、水配管６０内の水を抜く（ステップＳ４８）。コントローラ１００は、送風機５の駆動を停止して、冷却装置１の冷却運転を終了する（ステップＳ４９）。コントローラ１００は、装置本体１０への水の供給を止めると同時に送風機５の駆動を停止してもよいし、水の供給の停止と、送風機５の停止との間に所定の時間間隔があってもよい。
【００３６】
冷却装置１が停止状態である状態で、水配管６０に水が残っていた場合、水配管６０に残っていた水が熱くなると、水配管６０内の圧力が上がる。また、冬場に水配管６０内に水が残っていると、残っていた水が凍結する場合がある。本実施形態では、コントローラ１００は、冷却装置１の冷却運転を終了する際に、水抜き弁５１を開いて、水配管６０内の水を抜くため、水配管６０内に残っていた水による圧力上昇や凍結を防ぐことが出来る。
【００３７】
また、装置本体１０には、周囲の環境に人を感知する人感センサ２５が備えられている。人感センサ２５は、装置本体１０の外周面の所定の位置に設けられる。装置本体１０には、一つの人感センサ２５が設けられ、この一つの人感センサ２５で装置本体１０の周方向の全方位で人を検知する。また、装置本体１０に複数の人感センサ２５を設けて、複数の人感センサ２５で装置本体１０の周方向の全方位で人を検知する構成であってもよい。コントローラ１００は、人感センサ２５の検知に基づいて、送風機５および水回路５０の水量調整弁５２を制御して、冷却運転を行うことができる。
【００３８】
以上説明したように、本発明を適用した実施の形態によれば、二重管構造からなる装置本体１０と、装置本体１０の上下方向および周方向に間隔を空けて設けた複数の噴射ノズル１５と、これら噴射ノズル１５の設置位置に対応して装置本体１０に設けられ、送風機５からの気流を装置本体１０の環状空間１３内から外に向けて吹き出す複数の通気孔１４とからなり、装置本体１０の上部に設けた通気孔１４には、通気孔１４から吹き出す気流を斜め下向きに導く導風体２４を備え、装置本体１０の下部に設けた通気孔１４には、通気孔１４から吹き出す気流を水平または斜め上向きに導く導風体２４を備えていることを特徴とする。
この構成によれば、上部の噴霧ノズル１５からの微細ミストを送風機５からの気流に乗せて装置本体１０の放射方向に斜め下方に吹き出し、下部の噴霧ノズル１５からの微細ミストを送風機５からの気流に乗せて装置本体１０の放射方向に水平または斜め上方に吹き出して、これらの気流を任意の合流部Ｊに導くことができ、この合流部Ｊを積極的に冷却することができる。また、送風機５からの気流を、装置本体１０の放射方向に吹き出して、気流空間ＡＦＳを装置本体１０と相似形外輪郭の範囲に広げることができるので、微細ミストの周辺空気への拡散を促し、気化を促進することができる。よって、低温湿り空気を供給できる空間を拡大し、より効率的に通行者が快適に感じられるように周辺空間を冷却する冷却装置を提供することができる。
【００３９】
また、装置本体１０は、二重管の構造であり、複数の噴霧ノズル１５が、上下方向および周方向に間隔をあけて配置され、送風機５からの気流は、二重管の環状空間１３内を下から上にむけて発生させる。この構成によれば、送風機５を噴霧ノズル１５の上流に設けたため、装置本体１０内の結露の発生を防止することが出来る。また、装置本体１０を環状の二重管構造としたため、環状空間１３内の風圧を均等にすることができ、高い耐圧性をえることができるため、二重管の肉厚を薄くすることができる。
【００４０】
また、送風機５からの気流が、環状空間１３内に空気配管６を通じて供給される。なお、この空気配管６は地面に埋設してもよい。この構成によれば、送風機５を装置本体１０に隣接させて設ける必要がなく、また、空気配管６を地面に埋設した場合には、景観を損ねることなく冷却装置１を路上に設置することができる。
また、複数の噴霧ノズル１５に供給される水配管６０を地面に埋設した場合には、景観を損ねることなく冷却装置１を路上に設置することができる。
【００４１】
また、水配管６０が水抜き弁５１を備えるため、冷却装置１を停止している間は、水配管６０内の水を抜くことができる。これにより、水配管６０内に残っている水が熱膨張して水配管６０内の圧力が上昇したり、水配管６０内に残っている水が凍結したりするのを防ぐことができる。
【００４２】
また、複数の噴霧ノズル１５が、装置本体１０の外側管１２の外周面と、ノズル口１５Ｆと、が略面一になるように、装置本体１０の外周部に配置されるため、噴霧ノズル１５から噴霧された微細ミストが装置本体１０内を濡らすのを防ぐことができる。これにより、装置本体１０のメンテナンスを容易にすることができ、装置本体１０の水濡れによる劣化を防ぐことができる。
【００４３】
また、装置本体１０は二重管の構造であり、路面Ｇから延びる支持部ＳＰが、二重管の内部空間３０内を下から上に向けて延びるため、例えば、既存の街路灯や案内標識の支柱等の支持部ＳＰを装置本体１０の内部に収容することができる。これにより、街の景観を損なうことなく、冷却装置１を設置することができる。また、中空の内部空間３０に支持部ＳＰを貫通させて支持することにより、機器の容積を拡大させることなく、安定設定を図ることができる。
【００４４】
また、支持部ＳＰが、路面Ｇに植樹した天然樹木または人口樹木の幹部で構成されるため、樹木によって日射が抑えられた環境下で、冷却空気を周囲空間に供給することができる。これにより、通行者に爽やかな清涼感を効果的に与えることが出来る。また、街の景観を損なうことなく、冷却装置１を設置することができる。
【００４５】
＜第２の実施形態＞
上述した第１の実施形態では、噴霧ノズル１５を装置本体１０の二重管構造内に収容する構成としたが、これに限定されない。また、第１の実施形態では、給水管１９を環状空間１３内に設けた構成としたが、これに限定されない。図９は本発明の第２の実施形態の装置本体１１０の構成を模式的に示す断面図である。なお、この第２の実施形態において、上述の第１の実施形態と同様の構成については、同一の符号を付し、その説明を省略する。図９に示すように、噴霧ノズル１５は、噴霧ノズル１５から噴射される微細ミストに通気孔１４からの空気流が作用する範囲で外側管１２より外に配置されてもよい。装置本体１０の外部には、水配管６０が接続される水配管接続部１８が設けられ、水配管６０は、装置本体１０の外側下部で給水管１９に接続される。給水管１９は装置本体１０の外側管１２の外周に沿って配管される。給水管１９は、外側管１２の外周に沿って複数に分岐され、各分岐配管２９の末端には、噴霧ノズル１５が接続される。噴霧ノズル１５は、噴霧ノズル１５から噴射される微細ミストに通気孔１４からの空気流が作用する範囲に配置される。
【００４６】
この構成によれば、装置本体１１０内で噴霧ノズル１５から噴霧された微細ミストの蒸散が行われないため、環状空間１３内での空気の温度降下が生じず、装置本体１１０内で結露が発生するのを防止することができる。また、給水管１９を装置本体１０の外側管１２の外周に沿って配管するため、給水管１９および噴霧ノズル１５のメンテナンスを容易に行うことができる。
【００４７】
＜第３の実施形態＞
また、上述した第１の実施形態では、装置本体１０を環状の二重管の構造としたが、これに限定されない。図１０は本発明の第３の実施形態に係る冷却装置１Ａの概略構成を示す模式図であり、図１１は、第３の実施形態の装置本体１２０を２分割した状態を示す斜視図である。
装置本体１２０は、図１１に示すように、周方向に半割にされて構成される。装置本体１０には、図１０に示すように、外側管１２に空気配管６および水配管６０が接続されている。空気配管６は、２本に分岐されて、分岐された一方は、半割にされた装置本体１２０の一方の本体部１２０Ａに、分岐された他方は、半割にされた装置本体１２０の他方の本体部１２０Ｂ、にそれぞれ接続される。水配管６０は、水抜き弁５１の下流で２本に分岐されて、分岐された一方は、半割にされた装置本体１２０の一方の本体部１２０Ａに、分岐された他方は、半割にされた装置本体１０の他方の本体部１２０Ｂ、にそれぞれ接続される。空気配管６および水配管６０は、地面に埋設してもよい。
【００４８】
装置本体１０の一方の本体部１２０Ａおよび他方の本体部１２０Ｂには、それぞれ周方向の端部に、内側管１１と、外側管１２と、を繋ぐ端壁２１が設けられる。装置本体１２０は、一方の本体部１２０Ａと、他方の本体部１２０Ｂとを、端壁２１を対向させて連結し、構成される。端壁２１は、内側管１１および外側管１２に、高さ方向の上下に亘って接合されている構成であってもよいし、上下に複数に分割され、所定の間隔で内側管１１および外側管１２に接合されている構成であってもよい。一方の本体部１２０Ａおよび他方の本体部１２０Ｂには、それぞれ内側管１１と、外側管１２と、端壁２１とに囲まれた中空空間１３０Ａ，１３０Ｂが形成される。中空空間１３０Ａ，１３０Ｂ内には、送風機５からの気流が発生し、この気流は、通気孔１４から外側管１２の外に向けて吹き出される。
【００４９】
この構成によれば、装置本体１２０は周方向に半割にされて構成されるため、支持部ＳＰの外周縁に平行して、一方の本体部１２０Ａと、他方の本体部１２０Ｂとを連結させて既存の人工体や天然樹木の幹部を支持部ＳＰとして容易に設置することができる。また、装置本体１２０を半割にしたため、気流系統、および、微細ミストを噴霧する系統を２系統にして、各系統を別々に制御することができ、冷却空気を向ける方向を制御することができる。
【００５０】
＜変形例＞
上述の第１〜第３の実施形態では、装置本体の外周を上面視円形形状としたが、これに限定されない。装置本体は、上述したように、例えば外周が上面視楕円形状でもよい。図１２は、外周が上面視楕円形状の装置本体１４０の周囲に形成される気流空間ＡＦＳを模式的に示す上面視図である。図１２に示すように、外周が上面視楕円形状の装置本体１４０の周囲には、装置本体１４０と相似形の楕円形外輪郭の気流空間ＡＦＳが形成される。
【００５１】
なお、本発明は前記実施形態に限定されるものではなく、本発明の趣旨を逸脱しない範囲で、種々変更が可能である。例えば、本実施形態の装置本体１０は、二重管の環状構造としたが、これに限らず、装置本体は、柱状、その他の形状に構成されていてもよい。また、本実施形態においては、一つの装置本体１０に対して一つの送風機５からの気流を導く構成であるが、これに限らず、一つの送風機５からの気流を複数の装置本体１０に導く構成であってもよい。一つの送風機５からの気流を複数の装置本体１０に対して導く場合には、各装置本体１０の配管接続部１６に、ストップバルブなどの制御弁を設け、各装置本体１０への気流の流入を制御できる構成であってもよい。また、本実施形態においては、一つのコントローラ１００で、一つの装置本体１０、送風機５、および、水回路５０を制御する構成であるが、これに限らず、一つのコントローラ１００で複数の送風機５、装置本体１０、および、水回路５０を制御する構成であってもよい。
【００５２】
＜第４の実施形態＞
図１３は、本発明の第４の実施形態に係る冷却装置２００の概略図である。図１４は、第４の実施形態に係る冷却装置２００の概略構成を模式的に示す断面図である。図１５は、冷却装置２００作動時のミストの流れ及び空気の流れを模式的に示す断面図である。
なお、この第４の実施形態において、上述の第１の実施形態と同様の構成については、同一の符号を付し、その説明を省略する。
【００５３】
冷却装置２００は、屋外の開放空間で使用され、装置本体（本体）２１０の周囲空間を冷却する装置である。装置本体２１０は、本実施形態においては、横断面形状が環状の円柱体の装置であり、路面等の地面に立設させて使用される。この装置本体２１０は、側面視で略矩形状であり、図１３に示すように、例えば人工樹木や、自然樹木の幹の周囲に設けられる。この場合、例えば人工樹木の幹を内部空間２３０内に収容する。
【００５４】
装置本体２１０は、本実施形態においては、円筒状の管を二重にして形成した二重管である。装置本体２１０は、二重管の構成であるため、内側の内側管２１１と、外側の外側管２１２と、の間に環状空間２１３が形成される。環状空間２１３内には、送風機２０５からの気流が発生する。環状空間２１３の底部には、内側管２１１と外側管２１２とに接合された底板２２２が設けられており、この環状空間２１３の底部は、底板２２２で塞がれている。環状空間２１３の頂部には、内側管２１１と外側管２１２とに接合された天板２２３が設けられる。
このように、装置本体２１０を環状の二重管の構造とし、環状空間２１３内に気流を発生させるため、環状空間２１３内で円周方向の風圧を均等にすることができる。また、装置本体２１０の気流を発生させる空間を環状としたため、優れた耐圧性を得ることができ、内側管２１１および外側管２１２の肉厚を薄くすることが出来る。
なお、装置本体２１０は、管の形状が円筒状に限らず、例えば、楕円筒状や角筒状の管の二重管であってもよい。
【００５５】
外側管２１２には、上下方向および周方向に間隔をあけて、環状空間２１３に連通する複数の通気孔（開口）２１４（２１４ａ、２１４ｂ、２１４ｃ）が設けられている。通気孔２１４（２１４ａ、２１４ｂ、２１４ｃ）の形状は、矩形であってもよいし、円形であってもよいし、その他のいかなる形状であってもよい。通気孔２１４（２１４ａ、２１４ｂ、２１４ｃ）は、外側管２１２の周方向に等ピッチで配置されることが望ましい。
通気孔２１４ａは、外側管２１２の上段（最上段）に設けられる通気孔である。通気孔２１４ｂは、外側管２１２の中段に設けられる通気孔である。通気孔２１４ｃは、外側管２１２の下段に設けられる通気孔である。通気孔２１４ａの内径は、通気孔２１４ｂ、通気孔２１４ｃの内径と比べ大きくなるよう設けられている。
【００５６】
通気孔２１４ａは開口が斜め下向きに向くように設けられている。通気孔２１４ａから吹き出す気流は、図１５の矢印Ａに示すように斜め下方向に向かって吹き出される。この斜め下向きの角度は任意に調整が可能である。通気孔２１４ｂ、２１４ｃは、開口が地表面と略並行となるように設けられているが、所定の範囲で上向き、下向きに角度変更可能にしておくことが望ましい。
【００５７】
通気孔２１４ａには、噴霧ノズル（ミストノズル）２１５ａが挿入されている。通気孔２１４ｂには、噴霧ノズル（ミストノズル）２１５ｂが挿入されている。通気孔２１４ｃには、噴霧ノズル（ミストノズル）２１５ｃが挿入されている。装置本体２１０には、複数の噴霧ノズル２１５（２１５ａ、２１５ｂ、２１５ｃ）が上下方向および周方向に間隔をあけて配置されている。通気孔２１４（２１４ａ、２１４ｂ、２１４ｃ）の内径は、噴霧ノズル２１５（２１５ａ、２１５ｂ、２１５ｃ）の径よりも大きく形成されている。
【００５８】
なお、図２０に示すように、噴霧ノズル２１５（２１５ａ、２１５ｂ、２１５ｃ）は通気孔２１４（２１４ａ、２１４ｂ、２１４ｃ）内に配置されている。
噴霧ノズル２１５の上端と通気孔２１４との間には、隙間Ｓが設けられている。また、噴霧ノズル２１５の下端と通気孔２１４との間には、隙間ＳＳが設けられていることが望ましい。
この場合、噴霧ノズル２１５は通気孔２１４内に配置されているが、少なくとも噴霧ノズル２１５の上端と通気孔２１４との間に隙間Ｓを有していればよい。
なお、噴霧ノズル２１５（２１５ａ、２１５ｂ、２１５ｃ）と通気孔２１４（２１４ａ、２１４ｂ、２１４ｃ）とは、同軸に配置されることが望ましい。
【００５９】
次に、冷却装置２００の周囲にミストを含む気流空間を形成する作用について説明する。
コントローラ１００の制御により、環状空間２１３内には、空気配管６から送風機５により送風される。図１４に示すように、送風機５からの送風は、環状空間２１３内を下から上に矢印方向に向けて発生する。環状空間２１３内を下から上に向けて送風された空気は、通気孔２１４（２１４ａ、２１４ｂ、２１４ｃ）から、装置本体２１０の外周に吹き出される（気流ＡＦ。）。環状空間２１３は通気孔２１４（２１４ａ、２１４ｂ、２１４ｃ）を除き密閉されており、通気孔２１４（２１４ａ、２１４ｂ、２１４ｃ）から気流ＡＦが吹き出される。
通気孔２１４（２１４ａ、２１４ｂ、２１４ｃ）から装置本体２１０の外周に気流ＡＦが吹き出されるのと同時に、コントローラ１００の制御により、噴霧ノズル２１５から微細ミストが噴霧される。通気孔２１４ａからは、気流空間で蒸発する程度の微細ミストが噴霧されることが望ましい。通気孔２１４ｂ、通気孔２１４ｃからは、気流空間で蒸発する程度以上の微細ミストが噴霧されることが望ましい。
【００６０】
噴霧ノズル２１５が噴霧する微細ミストは、通気孔２１４（２１４ａ、２１４ｂ、２１４ｃ）から吹き出す気流ＡＦにより運ばれ、冷却装置２００の周囲に、冷却されたミストを含むドーム状の冷却空間（以下、気流空間。）内の温度を下降させる。この気流空間は、最上段の通気孔２１４ａから斜め下方向に向けて吹き出される気流ＡＦが、最上段の通気孔２１４ａよりも下方に設けられる噴霧ノズル２１５ｂ、２１５ｃから噴霧される微細ミストと合流し、微細ミストを気流ＡＦよりも装置本体２１０の側に閉じ込めることにより形成される空間である。
本実施形態では、上段の通気孔２１４ａが、噴霧ノズル２１５ｂの上方に設置されて、送風機２０５からの気流を噴霧ノズル２１５ｂから噴霧されるミストに向けて吹き出すための通気孔に相当している。
【００６１】
上段の通気孔２１４ａは開口が斜め下向きに向くように設けられており、噴霧ノズル２１５ａから噴霧される微細ミストと、通気孔２１４ａから吹き出される気流ＡＦとが、通気孔２１４ａから斜め下方に向けて吹き出される。
このとき、噴霧ノズル２１５ａから噴霧される微細ミストは、上段の通気孔２１４ａから吹き出される気流ＡＦにより蒸発が促進される。
上段の通気孔２１４ａから斜め下向きに吹き出される気流ＡＦにより、図１５に示すように、冷却装置２００の周囲に、冷却されたミストを含む気流空間が形成される。
【００６２】
中段の通気孔２１４ｂは開口が地表面と略並行となるように設けられており、噴霧ノズル２１５ｂから噴霧される気流空間で蒸発する程度の微細ミストおよび気流空間で蒸発しきれない微細ミストと、通気孔２１４ｂから吹き出される気流ＡＦとが、通気孔２１４ｂから地表面と略並行方向に向けて吹き出される。
このとき、噴霧ノズル２１５ｂから噴霧される微細ミストは、上段の通気孔２１４ａから吹き出される気流ＡＦとの合流地点（図１５中のＤ地点）で上段の通気孔２１４ａから吹き出される気流ＡＦとの接触により蒸発が促進される。噴霧ノズル２１５ｂから噴霧される気流空間で蒸発しきれない微細ミストは、上段の通気孔２１４ａから吹き出される気流ＡＦとの合流地点（図１５中のＤ地点）で上段の通気孔２１４ａから吹き出される気流ＡＦとの接触により、この合流地点よりも下方に進行方向を曲げられ、冷却された気流空間内に留まる。
【００６３】
下段の通気孔２１４ｃは開口が地表面と略並行となるように設けられており、噴霧ノズル２１５ｂｃから噴霧される気流空間で蒸発する程度の微細ミストおよび気流空間で蒸発しきれない微細ミストと、通気孔２１４ｂｃから吹き出される気流ＡＦとが、通気孔２１４ｃから地表面と略並行方向に向けて吹き出される。
このとき、噴霧ノズル２１５ｃから噴霧される気流空間で蒸発する程度の微細ミストは、上段の通気孔２１４ａから吹き出される気流ＡＦとの合流地点（図１５中のＥ地点）で上段の通気孔２１４ａから吹き出される気流ＡＦとの接触により蒸発が促進される。噴霧ノズル２１５ｃから噴霧される気流空間で蒸発しきれない微細ミストは、上段の通気孔２１４ａから吹き出される気流ＡＦとの合流地点（図１５中のＥ地点）で上段の通気孔２１４ａから吹き出される気流ＡＦとの接触により、この合流地点よりも下方に進行方向を曲げられ、冷却された気流空間内に留まる。
【００６４】
以上説明したように、本実施の形態によれば次の効果を奏する。
すなわち、噴霧ノズル２１５ｂ、噴霧ノズル２１５ｃの上方に、送風機２０５から気流ＡＦを吹き出す通気孔２１４ａを設け、この通気孔２１４ａから吹き出す気流ＡＦを噴霧ノズル２１５ｂ、噴霧ノズル２１５ｃから噴霧される微細ミストに向けて吹き出すため、冷却装置２００の周囲に、通気孔２１４ａから吹き出す気流ＡＦにより微細ミストを包み込む気流空間を形成できる。
本実施の形態によれば、通気孔２１４ａから吹き出される気流空間で蒸発する程度の微細ミストを気流ＡＦにより蒸発促進することで、気流空間で蒸発する程度の微細ミストが気化する際に周囲空気の熱が吸収されて、蒸散効果により冷却空気を生成でき、気流空間内の温度を低く保つことができる。また、気流空間で蒸発しきれない微細ミストを通気孔２１４ａから吹き出す気流ＡＦにより気流空間内に保つことができ、さらなる蒸散効果により気流空間内の温度を低く保つことができる。また、気流空間で蒸発しきれない微細ミストの一部は地表に落ち、地表を濡らす。地表を濡らした微細ミストは、水の蒸発による冷却効果、いわゆる打ち水効果で気流空間内の温度を低く保つことができる。これらの相乗効果により、更なる快適な気流空間を維持できる。
なお、本実施の形態では、上段の通気孔２１４ａに噴霧ノズル２１５ａが挿入されているが、上段の通気孔２１４ａには必ずしも噴霧ノズル２１５ａが挿入されていなくともよい。
また、本実施の形態では、上段、中段、下段の３か所それぞれに噴霧ノズル２１５（２１５ａ、２１５ｂ、２１５ｃ）の挿入された通気孔２１４（２１４ａ、２１４ｂ、２１４ｃ）を設けたが、必ずしも３か所に限らす、２か所であってもよいし、複数設けてもよい。噴霧ノズルの上方に、噴霧ノズルから噴霧される微細ミストに気流を吹き出す通気孔があればよい。
【００６５】
また、本実施の形態によれば、装置本体２１０の上面視で、通気孔２１４ａから吹き出す気流ＡＦが噴霧ノズル２１５ｂ、噴霧ノズル２１５ｃから噴霧される微細ミストと重なるため、効率よく微細ミストに気流ＡＦを吹き出すことができ、効率よく気流空間を形成できる。
【００６６】
また、本実施の形態によれば、噴霧ノズル２１５（２１５ａ、２１５ｂ、２１５ｃ）を装置本体２１０の周方向に複数設けたため、装置本体２１０の周方向全体にわたって気流空間を形成できる。
【００６７】
また、本実施の形態において、上段の通気孔２１４ａから吹き出す気流ＡＦの単位時間当たりの風量、もしくは、気流ＡＦの流速の少なくとも一方を、中段の通気孔２１４ｂ、下段の通気孔２１４ｃよりも大きく設定することで、冷却装置２００の周辺に、上段の通気孔２１４ａから吹き出す気流ＡＦで包み込む気流空間を形成しやすくなる。
上段の通気孔２１４ａから吹き出す気流ＡＦの単位時間当たりの風量や、気流ＡＦの流速を変更する手段としては、通気孔の内径を変更したり、環状空間２１３内に流路抵抗を設ければよい。
【００６８】
本実施の形態では、図１５に示すように、噴霧ノズル２１５ｃから噴霧される微細ミストと通気孔２１４ａから吹き出される気流ＡＦとの合流地点（図１５中のＥ地点）付近まで噴霧ノズル２１５ｃから噴霧される微細ミストを運ぶことができる。微細ミストを通気孔２１４ａから吹き出される気流ＡＦとの合流地点まで運ぶことができ、通気孔２１４ａから吹き出される気流ＡＦにより合流地点を越えては微細ミストを運ぶことがなく、気流空間内の全体に微細ミストを運ぶことができ、気流空間内を冷却できる。
なお、通気孔２１４ｃを上方に向けて設けることもできる。
【００６９】
なお、本発明は前記実施形態に限定されるものではなく、本発明の趣旨を逸脱しない範囲で、種々変更が可能である。例えば、本実施形態の装置本体２１０は、二重管の環状構造としたが、これに限らず、装置本体は、柱状、その他の形状に構成されていてもよい。
また、本実施形態においては、一つの装置本体２１０に対して一つの送風機５からの気流を導く構成であるが、これに限らず、一つの送風機５からの気流を複数の装置本体２１０に導く構成であってもよい。一つの送風機５からの気流を複数の装置本体２１０に対して導く場合には、各装置本体２１０の配管接続部１６に、ストップバルブなどの制御弁を設け、各装置本体２１０への気流の流入を制御できる構成であってもよい。また、本実施形態においては、一つのコントローラ１００で、一つの装置本体２１０、送風機５、および、水回路５０を制御する構成であるが、これに限らず、一つのコントローラ１００で複数の送風機５、装置本体２１０、および、水回路５０を制御する構成であってもよい。
また、本実施形態において、送風機５は地下に埋設した構成としてもよく、あるいは、送風機の一部もしくは全部を地上に設置してもよい。
【００７０】
＜第５の実施形態＞
図１６は、本発明の第５の実施形態に係る冷却装置３００の概略図である。図１７は、冷却装置３００の概略構成を模式的に示す断面図である。なお、この第５の実施形態において、上述の第４の実施形態と同様の構成については、同一の符号を付し、その説明を省略する。
図１７において冷却装置３００は、コントローラ１００と、送風機５と、水回路５０と、装置本体３１０と、を備えている。また、地中には、水回路５０および送風機からの空気配管（配管）６が接続される基部３９０が設けられている。
上述した第４の実施形態では、装置本体２１０は側面視で略矩形状であったが、これに限定されない。第５の実施形態では、図１６、図１７に示すように、装置本体３１０は、側面視で上下方向に分割された上下分割ユニット３７０（３７０ａ、３７０ｂ、３７０ｃ）と、連結部材３８０と、連結保持部材３８５と、基部３９０とを備える。
この冷却装置３００は、図１６に示すように、例えば、自然樹木の幹の周囲に設けられる。この場合、自然樹木の幹を内部空間３３０内に収容する。
【００７１】
この上下分割ユニット３７０（３７０ａ、３７０ｂ、３７０ｃ）は、円筒状の管を二重にして形成した二重管である。上下分割ユニット３７０（３７０ａ、３７０ｂ、３７０ｃ）は、二重管の構成であるため、内側の内側管３１１と、外側の外側管３１２と、の間に環状空間３１３が形成される。環状空間３１３の底部には、内側管３１１と外側管３１２とに接合された底板３２２で塞がれている。環状空間３１３の頂部には、内側管３１１と外側管３１２とに接合された天板３２３が設けられる。
【００７２】
この基部３９０と下段の上下分割ユニット３７０ｃの底板３２２とは、周方向に略均等に複数備えられる連結保持部材３８５により気密性を持って連結されている。それぞれの連結保持部材３８５と連結保持部材３８５との間には、空間Ｓ１が形成される。
【００７３】
下段の上下分割ユニット３７０ｃの天板３２３と中段の上下分割ユニット３７０ｂの底板３２２とは、周方向に略均等に複数備えられる連結部材３８０により気密性を持って連結されている。それぞれの連結部材３８０と連結部材３８０との間には、空間Ｓ２が形成される。
【００７４】
中段の上下分割ユニット３７０ｂの天板３２３と上段の上下分割ユニット３７０ａの底板３２２とは、周方向に略均等に複数備えられる連結部材３８０により気密性を持って連結されている。それぞれの連結部材３８０と連結部材３８０との間には、空間Ｓ２が形成される。
【００７５】
これら上下分割ユニット３７０（３７０ａ、３７０ｂ、３７０ｃ）の外側管３１２には、周方向に間隔をあけて、環状空間３１３に連通する複数の通気孔２１４（２１４ａ、２１４ｂ、２１４ｃ）が設けられている。通気孔２１４（２１４ａ、２１４ｂ、２１４ｃ）の形状は、矩形であってもよいし、円形であってもよいし、その他のいかなる形状であってもよい。通気孔２１４（２１４ａ、２１４ｂ、２１４ｃ）は、外側管３１２の周方向に等ピッチで配置される。
通気孔２１４ａは、上段の上下分割ユニット３７０ａに設けられる通気孔である。通気孔２１４ｂは、中段の上下分割ユニット３７０ｂに設けられる通気孔である。通気孔２１４ｃは、下段の上下分割ユニット３７０ｃに設けられる通気孔である。通気孔２１４ａの内径は、通気孔２１４ｂ、通気孔２１４ｃの内径と比べ大きくなるよう設けられている。
通気孔２１４ａは開口が斜め下向きに向くように設けられている。通気孔２１４ａから吹き出す気流は、斜め下方向に向かって吹き出される。この斜め下向きの角度は任意に調整が可能である。通気孔２１４ｂは、開口が地表面と略並行となるように設けられている。通気孔２１４ｂ、２１４ｃは、開口が地表面と略並行となるように設けられているが、所定の範囲で上向き、下向きに角度変更可能にしておくことが望ましい。
【００７６】
通気孔２１４ａには、噴霧ノズル（ミストノズル）２１５ａが挿入されている。通気孔２１４ｂには、噴霧ノズル（ミストノズル）２１５ｂが挿入されている。通気孔２１４ｃには、噴霧ノズル（ミストノズル）２１５ｃが挿入されている。通気孔２１４（２１４ａ、２１４ｂ、２１４ｃ）の内径は、噴霧ノズル２１５（２１５ａ、２１５ｂ、２１５ｃ）の径よりも大きく形成されている。
【００７７】
なお、図２０に示すように、噴霧ノズル２１５（２１５ａ、２１５ｂ、２１５ｃ）は通気孔２１４（２１４ａ、２１４ｂ、２１４ｃ）内に配置されている。
この場合、噴霧ノズル２１５は通気孔２１４内に配置されているが、少なくとも噴霧ノズル２１５の上端と通気孔２１４との間に隙間Ｓを有していればよい。また、噴霧ノズル２１５の下端と通気孔２１４との間には、隙間ＳＳが設けられていることが望ましい。
【００７８】
このように、装置本体３１０を環状の二重管の構造とし、環状空間３１３内に気流を発生させるため、環状空間３１３内で円周方向の風圧を均等にすることができる。また、装置本体３１０の気流を発生させる空間を環状としたため、優れた耐圧性を得ることができ、内側管３１１および外側管３１２の肉厚を薄くすることが出来る。
なお、装置本体３１０は、管の形状が円筒状に限らず、例えば、楕円筒状や角筒状の管の二重管であってもよい。
【００７９】
コントローラ１００の制御により、環状空間３１３、３８３、３８８内には、空気配管６から送風機５により送風される。図１７に示すように、送風機５からの送風は、環状空間内を下から上に矢印方向に向けてなされ、通気孔２１４（２１４ａ、２１４ｂ、２１４ｃ）から装置本体３１０の外周に向けて気流ＡＦが吹き出される。環状空間２１３は通気孔２１４（２１４ａ、２１４ｂ、２１４ｃ）を除き密閉されている。
通気孔２１４（２１４ａ、２１４ｂ、２１４ｃ）から装置本体３１０の外周に気流ＡＦが吹き出されるのと同時に、コントローラ１００の制御により、噴霧ノズル２１５（２１５ａ、２１５ｂ、２１５ｃ）から微細ミストが噴霧される。通気孔２１４ａからは気流空間で蒸発する程度の微細ミストが噴霧される。通気孔２１４ｂ、通気孔２１４ｃからは気流空間で蒸発する程度の微細ミストおよび気流空間で蒸発しきれない微細ミストが噴霧される。
【００８０】
実施形態４と同様の作用により、冷却装置３００の周囲にミストを含む気流空間が形成される。
【００８１】
以上説明したように、本実施形態５によれば実施形態４と同様の効果を奏する。
さらに、本実施の形態によれば、連結保持部材３８５と連結保持部材３８５との間に空間Ｓ１が形成され、連結部材３８０と連結部材３８０との間に空間Ｓ２が形成される。そのため、例えば自然樹木の幹に装置本体３１０を取り付ける場合にも、空間Ｓ１、空間Ｓ２に自然樹木の幹から延びる枝等を通すことで、自然樹木を傷つけることなく、自然樹木の幹に装置本体３１０を取り付けることができる。
なお、各々の自然樹木など本実施形態の装置本体３１０を取り付ける対象物の高さや形状に合わせて、連結保持部材３８５および連結部材３８０の高さを調節することも可能である。
【００８２】
また、本実施の形態では、上段の通気孔２１４ａに噴霧ノズル２１５ａが挿入されているが、上段の通気孔２１４ａには必ずしも噴霧ノズル２１５ａが挿入されていなくともよい。
また、本実施の形態では、上段、中段、下段の３か所それぞれに噴霧ノズル２１５（２１５ａ、２１５ｂ、２１５ｃ）の挿入された通気孔２１４（２１４ａ、２１４ｂ、２１４ｃ）を設けたが、必ずしも３か所に限らす、２か所であってもよいし、複数設けてもよい。噴霧ノズルの上方に、噴霧ノズルから噴霧される微細ミストに気流を吹き出す通気孔があればよい。
また、それぞれの上下分割ユニット３７０（３７０ａ、３７０ｂ、３７０ｃ）に、上下方向に複数の通気孔２１４または噴霧ノズル２１５を設けてもよい。
なお、本実施の形態によれば、噴霧ノズル２１５（２１５ａ、２１５ｂ、２１５ｃ）と通気孔２１４（２１４ａ、２１４ｂ、２１４ｃ）とは、同軸に配置されることが望ましい。
【００８３】
また、最下段の噴霧ノズル２１５ｃの下方の通気孔として通気孔２１４ｃが設けられている。そのため、通気孔２１４ｃから地面と水平に吹き出される気流ＡＦにより、噴霧ノズル２１５ｃから噴霧される微細ミストを所定距離まで運ぶことができる。本実施の形態では、図１５に示すように、噴霧ノズル２１５ｃから噴霧される微細ミストと通気孔２１４ａから吹き出される気流ＡＦとの合流地点付近まで噴霧ノズル２１５ｃから噴霧される微細ミストを運ぶことができる。微細ミストを通気孔２１４ａから吹き出される気流ＡＦとの合流地点まで運ぶことができ、上述のように通気孔２１４ａから吹き出される気流ＡＦとの合流地点を越えては微細ミストを運ぶことがないため、気流空間内の全体に微細ミストを運ぶことができ、気流空間内を冷却できる。
なお、通気孔２１４ｃを上方に向けて設けることもできる。
【００８４】
なお、本発明は前記実施形態に限定されるものではなく、本発明の趣旨を逸脱しない範囲で、種々変更が可能である。また、本実施形態の装置本体３１０は、二重管の環状構造としたが、図１１に示すように、周方向に半割にされて構成されることが望ましい。この構成によれば、装置本体は周方向に半割にされて構成されるため、支持部の外周縁に平行して、一方の本体部と、他方の本体部とを連結させて既存の人工体や天然樹木の幹部を支持部として容易に設置することができる。
また、本実施形態においては、一つの装置本体３１０に対して一つの送風機５からの気流を導く構成であるが、これに限らず、一つの送風機５からの気流を複数の装置本体３１０に導く構成であってもよい。一つの送風機５からの気流を複数の装置本体３１０に対して導く場合には、各装置本体３１０の配管接続部１６に、ストップバルブなどの制御弁を設け、各装置本体３１０への気流の流入を制御できる構成であってもよい。また、本実施形態においては、一つのコントローラ１００で、一つの装置本体３１０、送風機５、および、水回路５０を制御する構成であるが、これに限らず、一つのコントローラ１００で複数の送風機５、装置本体３１０、および、水回路５０を制御する構成であってもよい。
また、本実施形態において、送風機５は地下に埋設した構成としてもよく、あるいは、送風機の一部もしくは全部を地上に設置してもよい。
【００８５】
＜第６の実施形態＞
図１８は、本発明の第６の実施形態に係る冷却装置４００の概略図である。図１９は、冷却装置４００の概略構成を模式的に示す断面図である。なお、この第６の実施形態において、上述の第４の実施形態と同様の構成については、同一の符号を付し、その説明を省略する。
図１９において冷却装置４００は、コントローラ１００と、送風機５と、水回路５０と、装置本体４１０と、を備えている。また、地中には、水回路５０および送風機からの空気配管（配管）６が接続される基部４９０が設けられている。
上述した第４の実施形態では、装置本体２１０は側面視で略矩形状であったが、これに限定されない。第５の実施形態では、図１８、図１９に示すように、装置本体４１０は、周方向に分割された複数の周方向分割ユニット４７０と、基部４９０とを備えている。
この冷却装置４００は、図１８に示すように、例えば、自然樹木の幹の周囲に設けられる。この場合、周方向分割ユニット４７０は、自然樹木の幹がそれぞれの周方向分割ユニット４７０の中心部に位置するように配置される。
本実施の形態では、冷却装置４００は、道路脇の自然樹木に用いられ、歩道側の略１８０度の範囲に気流空間を形成できるよう、半周にかけて周方向分割ユニット４７０が３か所設けられている。
【００８６】
基部４９０から装置本体４１０の中心部に向けて湾曲して立ち上がるように周方向分割ユニット４７０が設けられている。これらの各周方向分割ユニット４７０と周方向分割ユニット４７０との間には、空間Ｓ３が設けられている。
【００８７】
周方向分割ユニット４７０は、気密性を有する中空円筒状の管であり、周方向分割ユニット４７０の内部には内部空間４１３が設けられている。この内部空間４１３には、空気配管６から送風機５の気流ＡＦが導かれる。なお、周方向分割ユニット４７０は、管の形状が円筒状に限らず、例えば、楕円筒状や角筒状の管の二重管であってもよい。
周方向分割ユニット４７０の上段には通気孔２１４ａが設けられている。周方向分割ユニット４７０の中段には、通気孔２１４ｂが設けられている。通気孔２１４（２１４ａ、２１４ｂ）の形状は、矩形であってもよいし、円形であってもよいし、その他のいかなる形状であってもよい。
通気孔２１４ａは開口が斜め下向きに向くように設けられている。通気孔２１４ａから吹き出す気流は、斜め下方向に向かって吹き出される。この斜め下向きの角度は任意に調整が可能である。通気孔２１４ｂ、２１４ｃは、開口が地表面と略並行となるように設けられているが、所定の範囲で上向き、下向きに角度変更可能にしておくことが望ましい。
【００８８】
通気孔２１４ａには、噴霧ノズル（ミストノズル）２１５ａが挿入されている。通気孔２１４ｂには、噴霧ノズル（ミストノズル）２１５ｂが挿入されている。通気孔２１４（２１４ａ、２１４ｂ）の内径は、噴霧ノズル２１５（２１５ａ、２１５ｂ）の径よりも大きく形成されている。
噴霧ノズル２１５ｂには、気流空間で蒸発する程度の微細ミストと、気流空間で蒸発しきれない微細ミストを同時に吹き出すことのできる噴霧ノズルが用いられている。
【００８９】
なお、図２０に示すように、噴霧ノズル２１５（２１５ａ、２１５ｂ、２１５ｃ）は通気孔２１４（２１４ａ、２１４ｂ、２１４ｃ）内に配置されている。
この場合、噴霧ノズル２１５は通気孔２１４内に配置されているが、少なくとも噴霧ノズル２１５の上端と通気孔２１４との間に隙間Ｓを有していればよい。また、噴霧ノズル２１５の下端と通気孔２１４との間には、隙間ＳＳが設けられていることが望ましい。
【００９０】
コントローラ１００の制御により、内部空間４１３内には、送風機５からの送風が導かれる。図１９に示すように、送風機５からの送風は、内部空間４１３内を下から上に矢印方向に向けて発生し、通気孔２１４（２１４ａ、２１４ｂ）から、装置本体４１０の外周に向けて吹き出される（気流ＡＦ）。内部空間４１３は通気孔２１４（２１４ａ、２１４ｂ）を除き密閉されている。
通気孔２１４（２１４ａ、２１４ｂ）から装置本体４１０の外周に気流ＡＦが吹き出されるのと同時に、コントローラ１００の制御により、噴霧ノズル２１５（２１５ａ、２１５ｂ）から微細ミストが噴霧される。通気孔２１４ａからは気流空間で蒸発する程度の微細ミストが噴霧される。通気孔２１４ｂからは気流空間で蒸発する程度の微細ミストおよび気流空間で蒸発しきれない微細ミストが噴霧される。
【００９１】
実施形態４、実施形態５と同様の作用により、冷却装置３００の周囲にミストを含む気流空間が形成される。
【００９２】
以上説明したように、本実施形態６によれば実施形態４、実施形態５と同様の効果を奏する。
さらに、本実施形態６によれば、それぞれの周方向分割ユニット４７０と周方向分割ユニット４７０との間に空間Ｓ３が形成される。そのため、例えば自然樹木の幹に装置本体４１０を取り付ける場合にも、空間Ｓ３に自然樹木の幹から延びる枝等を通すことで自然樹木を傷つけることなく、自然樹木の幹に装置本体４１０を取り付けることができる。
なお、各々の自然樹木など本実施形態の装置本体４１０を取り付ける対象物の高さや形状に合わせて、それぞれの周方向分割ユニット４７０と周方向分割ユニット４７０との間隔を調整することも可能である。
なお、本実施の形態では、上段の通気孔２１４ａに噴霧ノズル２１５ａが挿入されているが、上段の通気孔２１４ａには必ずしも噴霧ノズル２１５ａが挿入されていなくともよい。
また、本実施の形態では、上段、中段の２か所に噴霧ノズル２１５（２１５ａ、２１５ｂ）の挿入された通気孔２１４（２１４ａ、２１４ｂ）を設けたが、例えば、上段、中段、下段３か所であってもよいし、さらに多く複数設けてもよい。噴霧ノズルの上方に、噴霧ノズルから噴霧される微細ミストに気流を吹き出す通気孔があればよい。
なお、噴霧ノズル２１５（２１５ａ、２１５ｂ）と通気孔２１４（２１４ａ、２１４ｂ）とは、同軸に配置されることが望ましい。
【００９３】
また、最下段の噴霧ノズル２１５ｂの下方の通気孔として通気孔２１４ｂが設けられている。そのため、通気孔２１４ｂから地面と水平に吹き出される気流ＡＦにより、噴霧ノズル２１５ｂから噴霧される微細ミストを所定距離まで運ぶことができる。本実施の形態では、図１５に示すように、噴霧ノズル２１５ｂから噴霧される微細ミストと通気孔２１４ａから吹き出される気流ＡＦとの合流地点付近まで噴霧ノズル２１５ｂから噴霧される微細ミストを運ぶことができる。微細ミストを通気孔２１４ａから吹き出される気流ＡＦとの合流地点まで運ぶことができ、上述のように通気孔２１４ａから吹き出される気流ＡＦとの合流地点を越えては微細ミストを運ぶことがないため、気流空間内の全体に微細ミストを運ぶことができ、気流空間内を冷却できる。
なお、通気孔２１４ｂを上方に向けて設けることもできる。
【００９４】
また、本実施の形態によれば、冷却装置４００は、道路端の自然樹木の周囲半周にかけて周方向分割ユニット４７０が３か所設けられている。そのため、歩道側の略１８０度の範囲に気流空間を形成できる。このように、気流空間を形成したい箇所にあわせて適宜周方向分割ユニット４７０を設けることで、樹木等の周方向に適宜に気流空間を形成できる。
なお、例えば、樹木等の周方向全体にわたって気流空間を形成したい場合には、樹木等の周方向全体にわたって周方向分割ユニット４７０を設けてもよい。
【００９５】
また、本実施の形態では、基部４９０から装置本体４１０の中心部に向けて湾曲して立ち上がるように周方向分割ユニット４７０を設けたが、周方向分割ユニット４７０は地面から垂直に立ち上がるなどのポール状としてもよい。
【００９６】
なお、本発明は前記実施形態に限定されるものではなく、本発明の趣旨を逸脱しない範囲で、種々変更が可能である。本実施形態においては、一つの装置本体４１０に対して一つの送風機５からの気流を導く構成であるが、これに限らず、一つの送風機５からの気流を複数の装置本体４１０に導く構成であってもよい。一つの送風機５からの気流を複数の装置本体４１０に対して導く場合には、各装置本体４１０の配管接続部１６に、ストップバルブなどの制御弁を設け、各装置本体１０への気流の流入を制御できる構成であってもよい。また、本実施形態においては、一つのコントローラ１００で、一つの装置本体１０、送風機５、および、水回路５０を制御する構成であるが、これに限らず、一つのコントローラ１００で複数の送風機５、装置本体４１０、および、水回路５０を制御する構成であってもよい。
また、本実施形態において、送風機５は地下に埋設した構成としてもよく、あるいは、送風機の一部もしくは全部を地上に設置してもよい。
【００９７】
以上、各実施の形態に基づいて本発明を説明したが、本発明はこれらの実施形態に限定されるものではない。あくまでも本発明の実施の態様を例示するものであるから、本発明の趣旨を逸脱しない範囲で任意に変更、及び応用が可能である。
【００９８】
図２１は、送風機５と送風機５から通気孔２１４に送る外気を吸い込むための吸込口７７を地面に設けた状態を示している。例えば、装置本体の周辺近傍に吸込口７７を設けてもよい。送風機５ならびに吸込口７７と装置本体との位置関係は問わない。
また、図２２に示すように、送風機カバー８９ならびに吸込口の外形をベンチ状にするベンチ型吸込口８８とすることができる。係る構成とすることで、装置本体により発生する気流空間の内部もしくは気流空間の周辺に送風機と吸込口を配置できる。
【符号の説明】
【００９９】
１、２００、３００、４００  冷却装置
５  送風機
６  空気配管
１０、２１０、３１０、４１０  装置本体
１１、２１１、３１１、３８６  内側管
１２、２１２、３１２、３８７  外側管
１３、２１３、３１３、３８８  環状空間
１４、２１４ａ、２１４ｂ、２１４ｃ  通気孔
１５、２１５ａ、２１５ｂ、２１５ｃ  噴霧ノズル
３０、２３０、３３０  内部空間
５０  水回路
５１  水抜き弁
５２  水量調整弁
６０  水配管
１００  コントローラ
３７０（３７０ａ、３７０ｂ、３７０ｃ）  上下分割ユニット
３８０  連結部材
３８５  連結保持部材
３９０、４９０  基部
４１３  内部空間
４７０  周方向分割ユニット
ＡＦ  気流
Ｊ  合流部
Ｓ１、Ｓ２、Ｓ３  空間
ＳＰ  支持部
【図１】
0006544506.tif 000002
【図２】
0006544506.tif 000003
【図３】
0006544506.tif 000004
【図４】
0006544506.tif 000005
【図５】
0006544506.tif 000006
【図６】
0006544506.tif 000007
【図７】
0006544506.tif 000008
【図８】
0006544506.tif 000009
【図９】
0006544506.tif 000010
【図１０】
0006544506.tif 000011
【図１１】
0006544506.tif 000012
【図１２】
0006544506.tif 000013
【図１３】
0006544506.tif 000014
【図１４】
0006544506.tif 000015
【図１５】
0006544506.tif 000016
【図１６】
0006544506.tif 000017
【図１７】
0006544506.tif 000018
【図１８】
0006544506.tif 000019
【図１９】
0006544506.tif 000020
【図２０】
0006544506.tif 000021
【図２１】
0006544506.tif 000022
【図２２】
0006544506.tif 000023